(57)【要約】【課題】施工性を向上させると共に材料費を抑えることが可能な浴室壁パネルと浴室天井パネルとの接続構造を提供する。【解決手段】本発明は、浴室壁パネル１と浴室天井パネル２とが接続されることでその入り隅部分に縁材配設用凹所３が形成され、この縁材配設用凹所３に縁材５が配設された浴室壁パネルと浴室天井パネルとの接続構造である。縁材５は、縁材配設用凹所３を覆う覆い片５１と、縁材配設用凹所３の下面に沿うよう覆い片５１から連設された下連設片５２と、縁材配設用凹所３の上面に沿うよう覆い片５１から連設された上連設片５３と、下連設片５２及び上連設片５３を弾性的に連結する連結片５４とを備えている。【選択図】図１
2013007162.tif 000002
【特許請求の範囲】
【請求項１】
浴室壁パネルと浴室天井パネルとが接続されることでその入り隅部分に縁材配設用凹所が形成され、この縁材配設用凹所に縁材が配設された浴室壁パネルと浴室天井パネルとの接続構造であって、
前記縁材は、
前記縁材配設用凹所を覆う覆い片と、
前記縁材配設用凹所の下面に沿うよう前記覆い片から連設された下連設片と、
前記縁材配設用凹所の上面に沿うよう前記覆い片から連設された上連設片と、
前記下連設片及び前記上連設片を弾性的に連結する連結片と
を備えている
ことを特徴とする浴室壁パネルと浴室天井パネルとの接続構造。
【請求項２】
前記縁材が、前記縁材配設用凹所の奥面に当接する位置決め突片を有している
ことを特徴とする請求項１記載の浴室壁パネルと浴室天井パネルとの接続構造。
【請求項３】
前記位置決め突片が、前記連結片の上端部に設けられたものである
ことを特徴とする請求項２記載の浴室壁パネルと浴室天井パネルとの接続構造
【請求項４】
前記位置決め突片が、前記縁材の長手方向の略全長に亘って形成されたものである
ことを特徴とする請求項２又は請求項３のいずれかに記載の浴室壁パネルと浴室天井パネルとの接続構造。
【発明の詳細な説明】
【技術分野】
【０００１】
本発明は、浴室壁パネルと浴室天井パネルとの接続構造に関する。
【背景技術】
【０００２】
従来、浴室壁パネルの上端部と、浴室天井パネルの端縁とが接続された入り隅部分に、浴室内側に開口する縁材配設用凹所が形成され、この縁材配設用凹所に縁材が収容配置された構造が知られている（例えば特許文献１参照）。
【０００３】
この特許文献１記載の構造は、壁パネルと、天井パネルと、壁パネルと天井パネルとの入り隅部分に形成された凹所に固定された廻縁取付け具と、この廻縁取付け具に装着される廻縁とを備えている。
【０００４】
廻縁取付け具は、壁パネル上端に形成された凹所の長手方向に沿って所定のピッチで複数並設されている。廻縁は、この廻縁取付け具に係合されて前記凹所を覆うよう構成されている。
【先行技術文献】
【特許文献】
【０００５】
【特許文献１】特開２０１１−１１１７７６号公報
【発明の概要】
【発明が解決しようとする課題】
【０００６】
ところでこの特許文献１記載の構造では、壁パネルの上端に形成された凹所に、長尺の廻縁を安定的に固定するためには、浴室内の全周に亘って所定のピッチで多数の廻縁取付け具が取り付けられている必要がある。
【０００７】
この場合、廻縁取付け具が多く必要であるため、材料費が高くつくだけでなく、施工者は、廻縁取付け具を取り付けるために、ねじ具を何度も旋回させる必要があって煩わしい。その上、壁パネルと天井パネルとの入り隅部分における作業であるため、施工者は工具がパネルに干渉して作業しにくいという問題がある。
【０００８】
本発明は、上記事情に鑑みてなされたものであり、その目的とするところは、施工性を向上させると共に材料費を抑えることが可能な浴室壁パネルと浴室天井パネルとの接続構造を提供することにある。
【課題を解決するための手段】
【０００９】
本発明の浴室壁パネルと浴室天井パネルとの接続構造は、浴室壁パネルと浴室天井パネルとが接続されることでその入り隅部分に縁材配設用凹所が形成され、この縁材配設用凹所に縁材が配設された浴室壁パネルと浴室天井パネルとの接続構造であって、前記縁材は、前記縁材配設用凹所を覆う覆い片と、前記縁材配設用凹所の下面に沿うよう前記覆い片から連設された下連設片と、前記縁材配設用凹所の上面に沿うよう前記覆い片から連設された上連設片と、前記下連設片及び前記上連設片を弾性的に連結する連結片とを備えていることを特徴とする。
【００１０】
またこの浴室壁パネルと浴室天井パネルとの接続構造において、前記縁材が、前記縁材配設用凹所の奥面に当接する位置決め突片を有していることが好ましい。
【００１１】
またこの浴室壁パネルと浴室天井パネルとの接続構造において、前記位置決め突片が、前記連結片の上端部に設けられたものであることが好ましい。
【００１２】
またこの浴室壁パネルと浴室天井パネルとの接続構造において、前記位置決め突片が、前記縁材の長手方向の略全長に亘って形成されたものであることが好ましい。
【発明の効果】
【００１３】
本発明の浴室壁パネルと浴室天井パネルとの接続構造によれば、施工性を向上させると共に材料費を抑えることができるようになる。
【図面の簡単な説明】
【００１４】
【図１】本発明の実施形態の側断面図である。
【図２】上記実施形態の分解斜視図である。
【図３】上記実施形態の縁材を配設する前の側断面図である。
【図４】縁材の別の変形例を説明するための側断面図である。
【発明を実施するための形態】
【００１５】
以下、本発明の実施形態について添付図面に基づいて説明する。
【００１６】
本実施形態の接続構造は、浴室ユニットにおける浴室壁パネル１と浴室天井パネル２との接続構造である。本実施形態の浴室ユニットは、洗い場部と浴槽部とが隣接配置された床パン（図示せず）と、この床パンの外周端縁に沿って立設された浴室壁パネル１と、この浴室壁パネル１の上端に載設された浴室天井パネル２とを備えている。なお、以下の説明においては、浴室内外方向を前後方向といい、特に浴室内側を前方と定義する。
【００１７】
浴室壁パネル１は、図１に示されるように、壁面板１２の背面に断熱材１１が積層されて主体が構成されている。浴室壁パネル１は、その上端部に、壁面板１２を後方に向けて屈曲することで形成された横片１３と、この横片１３の後端部を上方に向けて屈曲することで形成された起立片１４とを備えている。本実施形態の浴室壁パネル１は、横片１３と起立片１４とが連続して断面略Ｌ字形状となっている。
【００１８】
浴室天井パネル２は、天井面板２３の裏側に断熱材２１が積層されて主体が構成されている。浴室天井パネル２は、その端縁部に、天井面板２３の端縁を下方に向けて屈曲することで形成された垂下片２２を備えている。
【００１９】
浴室壁パネル１に浴室天井パネル２が載設されると、図３に示されるように、横片１３と天井面板２３とが略平行に対向し、且つ起立片１４と垂下片２２とが前後方向に重なるようになっている。このとき、天井面板２３，起立片１４又は垂下片２２，横片１３により縁材配設用凹所３が形成される。この縁材配設用凹所３は、浴室壁パネル１の水平方向の全長に亘って形成され、浴室天井パネル２の全周に亘って形成される。
【００２０】
縁材配設用凹所３は、その奥面が、起立片１４又は垂下片２２により構成されている。縁材配設用凹所３は、起立片１４及び垂下片２２を貫通する固着具挿通孔３１が穿設されており、この固着具挿通孔３１を挿通したねじ具４により、起立片１４と垂下片２２とが固定されている。
【００２１】
このような縁材配設用凹所３には、縁材５が配設されている。
【００２２】
縁材５は、浴室における浴室天井パネル２と浴室壁パネル１との入り隅部分の略全長に亘って配設される長尺な廻り縁により構成されている。本実施形態の縁材５は、弾性を有しており、例えば軟質合成樹脂により成形されている。
【００２３】
縁材５は、図１に示されるように、縁材配設用凹所３を覆う覆い片５１と、浴室壁パネル１の横片１３に沿う下連設片５２と、天井面に沿う上連設片５３と、下連設片５２及び上連設片５３を弾性的に連結する連結片５４とを備えている。縁材５は、覆い片５１と下連設片５２と上連設片５３と連結片５４とが一体となっており、断面略ロ字形状となっている。
【００２４】
覆い片５１は、縁材配設用凹所３を覆って閉塞するよう構成されている。覆い片５１は、その下端が、浴室壁パネル１の前面（横片１３部よりも下方の部分）に当接するよう構成されている。本実施形態の覆い片５１は、浴室壁パネル１の前面に当接する下端に、後方側に屈曲形成された弾接片５１１を有している。この弾接片５１は、縁材５が縁材配設用凹所３に装着されると、浴室壁パネル１の前面に弾性的に当接して密着し、止水性を向上させる。
【００２５】
下連設片５２は、浴室壁パネル１の横片１３に沿うよう形成されている。下連設片５２は、覆い片５１の裏側から後方に向けて連設されている。下連設片５２は、その下面に、弾性変形可能な下ひれ部５２１を有している。この下ひれ部５２１は、縁材５が縁材配設用凹所３に装着されると、当該縁材配設用凹所３の下面に弾性的に当接して密着し、止水性を向上させる。また、この下ひれ部５２１は、前斜め下方側に臨んで突設されているため、縁材５が縁材配設用凹所３に装着されると、抜け止めとしても働く。
【００２６】
上連設片５３は、天井面の下面に沿うよう形成されている。上連設片５３は、覆い片５１の裏側から後方に向けて連設されている。上連設片５３は、その上面に、弾性変形可能な上ひれ部５３１を有している。上ひれ部５３１は、縁材５が縁材配設用凹所３に装着されると、当該縁材配設用凹所３の上面に弾性的に当接して密着し、止水性を向上させる。また、この上ひれ部５３１は、前斜め上方側に臨んで突設されているため、縁材５が縁材配設用凹所３に装着されると、下ひれ部５２１と同様に抜け止めとしても働く。
【００２７】
連結片５４は、上連設片５３と下連設片５２とを一体に連結する。連結片５４は、弾性変形可能となっており、縁材５が縁材配設用凹所３に装着されると、上連設片５３を上方に付勢し、下連設片５２を下方に付勢する。すなわち連結片５４は、上連設片５３を縁材配設用凹所３の上面に押し付けると共に、下連設片５２を縁材配設用凹所３の下面に押し付け、水密的に縁材５を保持させる。
【００２８】
また縁材５は、縁材配設用凹所３の奥面に当接する位置決め突片５５を有している。この位置決め突片５５は、連結片５４の上端部に設けられており、その上面が上連設片５３の上面と略面一となっている。位置決め突片５５は、後方に向けて突設されている。位置決め突片５５は、図１に示されるように、縁材配設用凹所３の奥面に螺合されたねじ具４の頭部に対し上下方向にずれた位置に配置されるよう構成されており、当該ねじ具４とは干渉しないよう構成されている。位置決め突片５５は、縁材５の長手方向の略全長に亘って設けられている。
【００２９】
このような構成の縁材５を縁材配設用凹所３に配設するには、施工者は、例えば次のようにして施工する。
【００３０】
施工者は、長尺な縁材５を、縁材配設用凹所３に臨ませた状態で天井面に押し付け、連結片５４を弾性変形させる。この状態で縁材５を、天井面に沿わせてスライド移動させ、縁材配設用凹所３に押し込む。縁材５を、位置決め突片５５が縁材配設用凹所３の奥面に当接するまで移動させる。すると、連結片５４が復元して、上連設片５３を上方に付勢すると共に下連設片５２を下方に付勢し、縁材５が縁材配設用凹所３内に保持・固定される。
【００３１】
このように本実施形態の浴室壁パネル１と浴室天井パネル２との接続構造は、覆い片５１と下連設片５２と上連設片５３と連結片５４とが設けられており、連結片５４が弾性変形するよう構成されているため、縁材５が縁材配設用凹所３に水密的に保持される。すなわち、縁材５を断面略ロ字形状として、縁材配設用凹所３の上面と下面とに突っ張るよう構成することで、従来技術のように、取付部材を別途装着する必要がなくなる。これにより、取付部材の材料費を削減することができるだけでなく、取付部材を取り付ける作業を省くことができて作業性も向上する。
【００３２】
また本実施形態の取付構造は、縁材５が位置決め突片５５を有しているため、縁材５を縁材配設用凹所３に配設するに当たり、押し込みすぎることを防止でき、外観を向上させるのに加えて水密性を向上させる。
【００３３】
また本実施形態の取付構造は、位置決め突片５５が縁材５の長手方向の略全長に亘って形成されているため、浴室内の上部入り隅部分に配設された縁材５を、全周に亘って直線状に綺麗に設置することができる。
【００３４】
また本実施形態の取付構造は、位置決め突片５５が連結片５４の上端部に設けられているため、浴室壁パネル１と浴室天井パネル２との接続に用いられるねじ具４に、縁材５を干渉しないよう配設することができる。仮に、連結片５４の中間部分に位置決め突片５５が設けられていると、ねじ具４に干渉して、連結片５４が前方に屈曲してしまうため、上連設片５３と下連設片５２とが縁材配設用凹所３の下面又は上面から浮いてしまう。この場合、縁材５の保持力が低下する上に止水力も低下してしまう。本実施形態の縁材５は、この問題を防ぐことができる。
【００３５】
しかも本実施形態の縁材５は、位置決め突片５５が、上連設片５３を後方に延設した構造となっているため、上ひれ部５３１を位置決め突片５５にまで形成することができる。つまり、縁材配設用凹所３の上面における止水性を向上させることができる。これにより、天井に結露した水滴が天井面を伝って浴室壁パネル１側に流下する際に、浸水しやすい縁材配設用凹所３の上面の止水性を向上させることができる。
【００３６】
なお本実施形態の取付構造は、横片１３部や起立片１４、垂下片２２等により縁材配設用凹所３が形成されていたが、本発明においては、浴室壁パネルと浴室天井パネルとの接続部分に縁材配設用凹所が形成されていればよく、本実施形態の構造に限定されない。
【００３７】
また本実施形態の縁材５は、軟質合成樹脂により構成されていたが、本発明において材質は特に限定されるものではない。
【００３８】
また本実施形態の縁材５は、断面略ロ字状となっていたが、本発明においては図４のような中空の縁材５０であってもよく、本実施形態の形状に限定されるものではない。
【符号の説明】
【００３９】
１      浴室壁パネル
１１    断熱材
１２    壁面板
１３    横片
１４    起立片
２      浴室天井パネル
２１    断熱材
２２    垂下片
２３    天井面板
３      縁材配設用凹所
３１    固着具挿通孔
４      ねじ具
５      縁材
５１    覆い片
５１１  弾接片
５２    下連設片
５２１  下ひれ部
５３    上連設片
５３１  上ひれ部
５４    連結片
５５    位置決め突片
【図１】
2013007162.tif 000003
【図２】
2013007162.tif 000004
【図３】
2013007162.tif 000005
【図４】
2013007162.tif 000006